(57)【要約】【課題】テープカートリッジの引出部材のずれをより好適に防止する。【解決手段】記録テープを収容するケースと、前記ケースの側壁に形成された開口から前記記録テープを引き出すための引出部材と、前記開口を開閉するための開閉部材と、を備え、前記ケースには、前記引出部材を保持する保持部が設けられ、前記開閉部材の前記保持部側の面には、前記保持部側の面に対して傾斜した傾斜面を有し、前記開閉部材の閉状態において前記保持部から前記引出部材が離脱しないように前記引出部材に当接する、傾斜部材が設けられており、前記傾斜面は、前記開閉部材の開状態から前記開口を閉じる際に、前記引出部材を前記保持部に案内するように形成されていることを特徴とする、テープカートリッジ。【選択図】      図６
2015103260.tif 000002
【特許請求の範囲】
【請求項１】
記録テープを収容するケースと、
前記ケースの側壁に形成された開口から前記記録テープを引き出すための引出部材と、
前記開口を開閉するための開閉部材と、を備え、
前記ケースには、前記引出部材を保持する保持部が設けられ、
前記開閉部材の前記保持部側の面には、前記保持部側の面に対して傾斜した傾斜面を有し、前記開閉部材の閉状態において前記保持部から前記引出部材が離脱しないように前記引出部材に当接する、傾斜部材が設けられており、
前記傾斜面は、前記開閉部材の開状態から前記開口を閉じる際に、前記引出部材を前記保持部に案内するように形成されていることを特徴とする、テープカートリッジ。
【請求項２】
前記傾斜部材の傾斜面は、前記開閉部材の前記保持部側の面に対して所定の角度に、直線状に傾斜している、ことを特徴とする請求項１に記載のテープカートリッジ。
【請求項３】
前記傾斜部材の傾斜面は、前記開閉部材の前記保持部側の面から前記保持部側に向かって、丸みを帯びて凸となるように湾曲した形状である、ことを特徴とする請求項１に記載のテープカートリッジ。
【請求項４】
前記傾斜部材は、前記開閉部材の長手方向に平行な面であり、前記開閉部材の前記保持部側の面に直交する面の断面が、前記傾斜面を斜辺とする略直角三角形となる形状に形成された突起である、ことを特徴とする請求項２または３に記載のテープカートリッジ。
【請求項５】
前記傾斜部材は、一方の端部が前記開閉部材に固定されるように形成された板状の部材である、ことを特徴とする請求項２または３に記載のテープカートリッジ。
【発明の詳細な説明】
【技術分野】
【０００１】
本発明は、テープカートリッジに関する。
【背景技術】
【０００２】
磁気テープ等の記録テープを巻きつけるためのカートリッジリールと、ケースとを備えたテープカートリッジが知られている。テープカートリッジは、専用ケースに収納された状態で運搬、持ち運び、保管されることが多い。また、テープカートリッジは、専用ケースに収納されずに持ち運びされる場合がある。
【０００３】
テープカートリッジがテープドライブへ挿入されると、当該テープカートリッジのドア（シャッター部）が開き開口が開放される。そして、上記テープカートリッジは、ドアが開いた状態でテープドライブ内の所定の位置に装填される。その後、テープドライブのリーダブロックがテープカートリッジ内のリーダーピンを取り出す。リーダーピンは、記録テープの先端にあるピンであり、テープドライブのリーダブロック等の機構によって、テープを取り込むためのものである。テープドライブは、このリーダーピンを取り出すことにより、テープカートリッジから記録テープを引き出すことができる。テープカートリッジがテープドライブから排出される際は、テープドライブは、上記動作とは逆の動作をする。
【０００４】
特許文献１には、上記ドアが、ケース内部に落ち込みを防止するテープカートリッジが記載されている。
【０００５】
テープカートリッジの運用において、落下等の外部衝撃の影響により、リーダーピンが所定の位置から脱離する（ずれを生じる）場合がある。
【０００６】
特許文献２には、リーダーピンがカートリッジケース内に格納されている状態で、落下衝撃等によってリーダーピンの保持が外れないように阻止する磁気テープカートリッジが記載されている。
【先行技術文献】
【特許文献】
【０００７】
【特許文献１】特開２０１２−１１３７７０号公報
【特許文献２】特開２０００−１１５９５号公報
【発明の概要】
【発明が解決しようとする課題】
【０００８】
リーダーピンは、テープドライブ内に磁気テープを取り込むのに必要な部材である。そのため、強固にリーダーピンをテープカートリッジに固定すると取り出すことができなくなる。したがって、およそ０．５〜１．５Ｎ（ニュートン）の力で保持する場合が多い。
【０００９】
特許文献１および２には、ばねを用いてリーダーピンを保持することが記載されている。しかし、特許文献１および２の技術では、リーダーピンを保持する一定以上の力が印加されると脱離（ズレ）することがあった。
【００１０】
また、保管状態および運用時の外部衝撃による影響だけでなく、テープカートリッジのテープドライブから排出されている時にも、リーダーピンのずれが生じる場合がある。
【００１１】
特許文献１および２では、リーダーピンがテープカートリッジ内に保持されている場合において、リーダーピンを抑えることにより、リーダーピンのずれを防止している。しかし、上述のように、テープカートリッジのテープドライブから排出されている時にリーダーピンが所定の位置からずれた場合に、所定の位置に戻すことができない可能性がある。
【００１２】
本発明は、上記課題に鑑みてなされたものであり、テープカートリッジにおけるリーダーピン等の引出部材のずれをより好適に防止する、テープカートリッジを実現することにある。
【課題を解決するための手段】
【００１３】
本発明の一態様に係るテープカートリッジは、記録テープを収容するケースと、前記ケースの側壁に形成された開口から前記記録テープを引き出すための引出部材と、前記開口を開閉するための開閉部材と、を備え、前記ケースには、前記引出部材を保持する保持部が設けられ、前記開閉部材の前記保持部側の面には、前記保持部側の面に対して傾斜した傾斜面を有し、前記開閉部材の閉状態において前記保持部から前記引出部材が離脱しないように前記引出部材に当接する、傾斜部材が設けられており、前記傾斜面は、前記開閉部材の開状態から前記開口を閉じる際に、前記引出部材を前記保持部に案内するように形成されている。
【発明の効果】
【００１４】
本発明のテープカートリッジによれば、テープカートリッジの引出部材のずれをより好適に防止することができる。
【図面の簡単な説明】
【００１５】
【図１】本発明の一実施の形態に係るテープカートリッジおよびテープドライブの斜視図である。
【図２】テープカートリッジ内の各部材の位置関係を説明するための図である。
【図３】本発明の第１の実施の形態に係るシャッター部の構成の一例を示す断面図である。
【図４】本発明の第２の実施の形態に係るシャッター部の構成の一例を示す断面図である。
【図５】本発明の第３の実施の形態に係るシャッター部の構成の一例を示す断面図である。
【図６】本発明の第４の実施の形態に係る開閉部材の構成の一例を示す断面図である。
【発明を実施するための形態】
【００１６】
以下、本発明の例示的な実施の形態について、図面を参照して詳細に説明する。
【００１７】
＜第１の実施の形態＞
まず、図１を参照して、本発明の一実施の形態に係るテープカートリッジ１のテープドライブ８への装填について説明する。図１は、テープカートリッジ１およびテープドライブ８の斜視図である。
【００１８】
図１に示す通り、テープカートリッジ１は、断面が略矩形の形状であるケース２を有する。このケース２は、樹脂製の上ケース２Ａと下ケース２Ｂとが互いに接合されて構成されている。ここで、ケース２におけるテープドライブ８側を向いている（図１におけるｘ軸正方向）側壁を前側壁１Ｆ、前側壁１Ｆに対向する側壁を後側壁１Ｂ、テープドライブ８の方を向いて右側の側壁を右側壁１Ｒ、テープドライブ８の方を向いて左側の側壁を左側壁１Ｌと呼ぶ。上ケース２Ａと下ケース２Ｂとの分割ラインは、側壁１Ｆ、１Ｂ、１Ｒおよび１Ｌをそれぞれ通るように形成されている。
【００１９】
ケース２の右側壁１Ｒには、開口部７が形成されている。また、シャッター部３は、薄板状の開閉部材であり、右側壁１Ｒに沿って（図１におけるｚ軸方向に）、スライド可能に形成されている。開口部７は、シャッター部３によって、開閉可能に形成されている。
【００２０】
テープドライブ８には、テープカートリッジ１を挿入するための挿入口８１が設けられている。挿入口８１には、テープカートリッジのシャッター部３と係合する係合部８２が設けられている。なお、係合部８２の位置は図１に示す位置に限定されず、シャッター部３と係合可能な位置であればよい。
【００２１】
テープカートリッジ１がテープドライブ８に挿入されるとき、シャッター部３が係合部８２に係合する。そして、テープカートリッジ１は、シャッター部３が開き、開口部７が開放された状態で、テープドライブ８に装填される。
【００２２】
図２は、テープカートリッジ１内の各部材の位置関係を説明するための図である。図２はテープカートリッジ１の上ケース２Ａを取り除き、当該テープカートリッジ１を上部よりみた場合の一例を示す図である。なお、図２に示すテープカートリッジ１の構成は、主要な部材の位置関係を簡単に説明するためのものであり、テープカートリッジ１がその他の部材を有してもよいことは言うまでもない。
【００２３】
図２に示す通りテープカートリッジ１は、内部に樹脂製のカートリッジリール（テープリール）５が回転可能に形成されている。カートリッジリール５の外周面には、磁気テープ６が巻回されている。磁気テープ６の先端部にはリーダーピン（引出部材）４が設けられている。なお、磁気テープ６はデータを記録する記録テープの一例であり、本発明はこれに限定されるものではない。
【００２４】
リーダーピン４は、ケース２の開口部７から、テープドライブ８のリーダーブロック（図示しない）によって引き出される位置に固着されている。テープドライブ８は、このリーダーピン４を取り出すことにより、テープカートリッジ１から磁気テープ６を引き出すことができる。
【００２５】
次に、本実施の形態に係るテープカートリッジ１のシャッター部３の形状について説明する。図３は、テープカートリッジ１におけるシャッター部３の近傍の構成の一例を示した断面図である。
【００２６】
図３に示す通り、ケース２には、リーダーピン４がケース２内にある場合に、リーダーピン４を当該ケース２内に保持する保持部２１が設けられている。図３において、保持部２１の形状は、半円状であるとするが、本発明はこれに限定されるものではなく、リーダーピン４をケース２内に保持可能な形状であればよい。
【００２７】
シャッター部３は、図示しないバネ等の部材を介して、開口部７を閉じる方向へ付勢されている。また、シャッター部３における、前側壁１Ｆ側の端部には、右側壁１Ｒ側に突出した突出部３１が設けられている。突出部３１は、テープカートリッジ１をテープドライブ８に挿入する際に、係合部８２と係合する。これにより、シャッター部３がスライドし、開口部７を開けた状態（開状態）にする。
【００２８】
シャッター部３のケース２内側の面（保持部２１側の面）には、傾斜部材３２Ａが設けられている。傾斜部材３２Ａは、シャッター部３の長手方向に平行な面に対して所定の角度に傾斜した傾斜面を有している。傾斜部材３２Ａは、シャッター部３が開口部７を閉じた状態（閉状態）において、開口部７に対応する位置に形成されている。傾斜部材３２Ａの傾斜面は、閉状態において、保持部２１からリーダーピン４が離脱しないように、リーダーピン４に当接するように形成されている。また、傾斜部材３２の傾斜面は、シャッター部３を開状態から閉状態にする（開口部７を閉じる）際に、リーダーピン４を保持部２１に案内するように形成されている。
【００２９】
図３に示す傾斜部材３２Ａは、シャッター部３の長手方向に平行な面であって、シャッター部３の保持部２１側の面に直交する面の断面が、傾斜面を斜辺とする略直角三角形となる形状に形成された突起である。
【００３０】
このように、本実施の形態に係るテープカートリッジ１は、シャッター部３に傾斜部材３２Ａが設けられている。これにより、シャッター部３を開状態から閉状態にする際に、リーダーピン４が所定の位置から脱離した（ズレた）状態にあった場合でも、リーダーピン４をスムースに所定の位置に案内することができる。
【００３１】
また、シャッター部３が閉状態にあるとき、リーダーピン４が傾斜部材３２Ａに当接した状態になることにより、テープカートリッジ１内に保持されているリーダーピン４が衝撃印加等で移動することを防ぐことができる。したがって、テープカートリッジ１の保管時、テープカートリッジ１のテープドライブ８への挿入前、テープドライブ８より排出されたとき、など、シャッター部３が閉状態にあるときに、リーダーピン４を保持部２１に安定的に保持することができる。
【００３２】
また、シャッター部３が傾斜面を有していることにより、シャッター部３の開閉時にシャッター部３に掛かる力が軽減されスムースに開閉することができる。
【００３３】
以上により、本実施の形態に係るテープカートリッジ１は、シャッター部３が開状態であっても、閉状態であっても、リーダーピンのずれをより好適に防止することができる。
【００３４】
＜第２の実施の形態＞
次に、本発明の第２の実施の形態について、図面を参照して説明する。なお、説明の便宜上、前述した第１の実施の形態で説明した図面に含まれる部材と同じ機能を有する部材については、同じ符号を付し、その説明を省略する。
【００３５】
図４は、テープカートリッジ１におけるシャッター部３の近傍の構成の一例を示した断面図である。図４が図３と異なる点は、シャッター部３の傾斜部材の形状である。図４に示すシャッター部３の傾斜部材３２Ｂは、図３のシャッター部３の傾斜部材３２Ａと同様に、シャッター部３の長手方向に平行な面に対して所定の角度に傾斜した傾斜面を有している。傾斜部材３２Ｂは、例えば、シャッター部３の短手方向に平行な辺を有する略矩形の板状の部材である。傾斜部材３２Ｂは、一方の端部、つまり、上記短手方向に平行な辺のうちの一辺が、シャッター部３に固定され、他方の端部がシャッター部３の長手方向に平行な面に対して所定の角度方向に延在するように形成されている。言い換えれば、傾斜部材３２Ｂは板バネのような形状である。
【００３６】
このような傾斜部材３２Ｂを有するテープカートリッジ１は、傾斜部材３２Ａと同様に、シャッター部３が開状態であっても、閉状態であっても、リーダーピンのずれをより好適に防止することができる。また、図４に示すように、傾斜部材３２Ｂが板バネのような形状であることにより、傾斜面で、傾斜部材３２Ｂに係る応力を吸収することができる。したがって、テープカートリッジ１がより強い衝撃を受けた場合であっても、傾斜部材３２Ｂは、当該衝撃を軽減することができ、リーダーピン４、シャッター部３およびテープカートリッジ１への損傷を軽減することができる。
【００３７】
＜第３の実施の形態＞
次に、本発明の第３の実施の形態について、図面を参照して説明する。なお、説明の便宜上、前述した第１の実施の形態で説明した図面に含まれる部材と同じ機能を有する部材については、同じ符号を付し、その説明を省略する。
【００３８】
図５は、テープカートリッジ１におけるシャッター部３の近傍の構成の一例を示した断面図である。図５が図３および図４と異なる点は、シャッター部３の傾斜部材の形状である。
【００３９】
図３および図４の傾斜部材は、シャッター部３の長手方向に平行な面に対して所定の角度に、直線状に傾斜した傾斜面を有した傾斜部材について説明を行ったが、本発明はこれに限定されるものではない。
【００４０】
図５に示す通り、傾斜部材３２Ｃは、傾斜面が、シャッター部３の保持部２１側の面からケース内側（保持部２１側）に向かって、丸みを帯びて凸となるように湾曲した形状であってもよい。なお、図５に示す傾斜部材３２Ｃは、断面が半球形である突起を例に挙げているが、本発明はこれに限定されるものではない。例えば、図３および図４に示す傾斜面が丸みを帯びた形状であってもよい。
【００４１】
このような形状であっても、テープカートリッジ１は、リーダーピンのずれをより好適に防止し、シャッター部３の開閉時にシャッター部３に掛かる力が軽減されスムースに開閉することができる。
【００４２】
＜第４の実施の形態＞
次に、本発明の第４の実施の形態について、図面を参照して説明する。なお、説明の便宜上、前述した第１の実施の形態で説明した図面に含まれる部材と同じ機能を有する部材については、同じ符号を付し、その説明を省略する。
【００４３】
図６は、テープカートリッジ１における開閉部材３の近傍の構成の一例を示した断面図である。
【００４４】
本実施の形態に係るテープカートリッジ１は、図６に示すように、ケース２、開閉部材３、および、引出部材４を備えている。
【００４５】
ケース２は、記録テープを収容する。また、ケース２には、引出部材４を保持する保持部２１が設けられている。
【００４６】
開閉部材３は、上述の各実施の形態におけるシャッター部３に相当する。開閉部材３は、ケース２の側壁１Ｒに形成された開口７（上述の各実施形態における開口部７に相当）を開閉するためのものである。
【００４７】
開閉部材３の保持部２１側の面には、傾斜部材３２Ｄが設けられている。傾斜部材３２Ｄは、保持部２１側の面に対して傾斜した傾斜面を有している。また、傾斜部材３２Ｄは、開閉部材３の閉状態において保持部２１から引出部材４が離脱しないように引出部材４に当接する。傾斜部材３２Ｄの傾斜面は、開閉部材３の開状態から開口７を閉じる際に、引出部材４を保持部２１に案内するように形成されている。
【００４８】
なお、図６では、傾斜部材３２Ｄの形状の一例として、傾斜部材３２Ａと同様の形状を示したが、本発明はこれに限定されるものではない。例えば、傾斜部材３２Ｄの傾斜面は、開閉部材３の保持部２１側の面に対して所定の角度に、直線状に傾斜していてもよいし、開閉部材３の保持部２１側の面から保持部２１側に向かって、丸みを帯びて凸となるように湾曲した形状であってもよい。また、傾斜部材２１は、開閉部材３の長手方向に平行な面であり、開閉部材３の保持部側の面に直交する面の断面が、傾斜面を斜辺とする略直角三角形となる形状に形成された突起であってもよいし、一方の端部が開閉部材３に固定されるように形成された板状の部材であってもよい。
【００４９】
引出部材４は、上述の各実施の形態におけるリーダーピン４に相当する。引出部材４は、開口７から記録テープを引き出すためのものである。
【００５０】
以上のように、本実施の形態に係るテープカートリッジ１は、引出部材４のずれをより好適に防止することができる。なぜならば、テープカートリッジ１は、開閉部材３を開状態から閉状態にする際に、引出部材４が所定の位置から脱離した（ズレた）状態にあった場合でも、引出部材４をスムースに所定の位置に案内することができるからである。また、開閉部材３が閉状態にあるとき、引出部材４が傾斜部材３２Ｄに当接した状態になることにより、テープカートリッジ１内に保持されている引出部材４が衝撃印加等で移動することを防ぐことができる。したがって、テープカートリッジ１の保管時、テープカートリッジ１のテープドライブへの挿入前、テープドライブより排出されたとき、など、開閉部材３が閉状態にあるときに、引出部材４を保持部２１に安定的に保持することができる。
【００５１】
なお、上述した各実施の形態は、本発明の好適な実施の形態であり、上記各実施の形態にのみ本発明の範囲を限定するものではなく、本発明の要旨を逸脱しない範囲において当業者が上記各実施の形態の修正や代用を行い、種々の変更を施した形態を構築することが可能である。
【符号の説明】
【００５２】
１    テープカートリッジ
２    ケース
２Ａ    上ケース
２Ｂ    下ケース
２１    保持部
３    シャッター部
３１    突出部
３２Ａ    傾斜部材
３２Ｂ    傾斜部材
３２Ｃ    傾斜部材
３２Ｄ    傾斜部材
４    リーダーピン
５    カートリッジリール
６    磁気テープ
７    開口部
８    テープドライブ
８１    挿入口
８２    係合部
【図１】
2015103260.tif 000003
【図２】
2015103260.tif 000004
【図３】
2015103260.tif 000005
【図４】
2015103260.tif 000006
【図５】
2015103260.tif 000007
【図６】
2015103260.tif 000008